(57)【特許請求の範囲】
【請求項１】
半導体チップ支持用の支持部材のまわりに複数のリードを配置すると共に各リードのインナーリード部を該支持部材に連結したリードフレームを用意する工程と、
一方の主面に複数の電極を有する半導体チップを該一方の主面とは反対側の主面にて前記支持部材の一方の面に固着する工程と、
複数のボンディングワイヤにより前記複数の電極を前記複数のリードのインナーリード部にそれぞれ接続する工程と、
前記半導体チップ、前記複数のボンディングワイヤ、前記支持部材及び前記複数のリードのインナーリード部を含む組立品を前記支持部材の一方の面側でのみ覆うように保護コーティングとしての絶縁層を形成する工程と、
前記組立品を前記絶縁層で覆った状態において前記複数のリードのうちの各リード毎にインナーリード部をボンディングワイヤの接続個所と前記支持部材との間で前記支持部材の他方の面側から切断又はエッチングして該インナーリード部を前記支持部材から分離する工程と、
前記複数のリードのインナーリード部を前記支持部材から分離した後、前記絶縁層で覆われた組立品を前記支持部材の一方の面側と他方の面側との両面側で覆うと共に前記複数のリードのアウターリード部を外方に導出するように樹脂体により前記組立品を１回の処理でモールド封止する工程と
を含む半導体装置の組立法。
【請求項２】
前記リードフレームを用意する工程では、前記リードフレームの各リードのインナーリード部においてボンディングワイヤを接続すべき個所と前記支持部材との間の分離すべき部分で厚さ及び幅の少なくとも一方が他の部分より小さくなっていることを特徴とする請求項１記載の半導体装置の組立法。
【請求項３】
一方の主面に複数の電極を有する半導体チップと、
この半導体チップが前記一方の主面とは反対側の主面にて一方の面に固着された支持部材と、
この支持部材のまわりに平面的に並べて配置され、前記支持部材と同一の材料からなる複数のリードであって、各リードが前記半導体チップに向けて内方に延長するインナーリード部と、このインナーリード部から外方に延長するアウターリード部とを有し、各リードのインナーリード部が厚さ及び幅の少なくとも一方を小さくした部分で前記支持部材から分離されているものと、
前記複数の電極を前記複数のリードのインナーリード部にそれぞれ接続する複数のボンディングワイヤと、
前記半導体チップ、前記複数のボンディングワイヤ、前記支持部材及び前記複数のリードのインナーリード部を含む組立品を前記支持部材の一方の面側でのみ覆うように形成された保護コーティングとしての絶縁層と、
この絶縁層で覆われた組立品を前記支持部材の一方の面側と他方の面側との両面側で覆うと共に前記複数のリードのアウターリード部を外方に導出するように前記組立品を封止する樹脂体であって、１回の樹脂モールド処理により形成されたものと
を備え、前記複数のリードのうちの各リードのインナーリード部の分離が前記組立品を前記絶縁層で覆った状態において前記支持部材の他方の面側からの切断又はエッチングによりなされている半導体装置。
【請求項４】
半導体チップ支持用の支持部材のまわりに複数のリードを配置すると共に各リードのインナーリード部を該支持部材に連結したテープ状のリードフレームを所定の移動路に沿って移動させるための移動手段と、
前記移動路の第１の個所に設けられた第１の処理手段であって、一方の主面に複数の電極を有する半導体チップを該一方の主面とは反対側の主面にて前記支持部材の一方の面に固着するものと、
前記移動路において前記第１の個所より前方の第２の個所に設けられた第２の処理手段であって、複数のボンディングワイヤにより前記複数の電極を前記複数のリードのインナーリード部にそれぞれ接続するものと、
前記移動路において前記第２の個所より前方の第３の個所に設けられた第３の処理手段であって、前記半導体チップ、前記複数のボンディングワイヤ、前記支持部材及び前記複数のリードのインナーリード部を含む組立品を前記支持部材の一方の面側でのみ覆うように保護コーティングとしての絶縁層を形成するものと、
前記移動路において前記第３の個所より前方の第４の個所に設けられた第４の処理手段であって、前記組立品を前記絶縁層で覆った状態において前記複数のリードのうちの各リード毎にインナーリード部をボンディングワイヤの接続個所と前記支持部材との間で前記支持部材の他方の面側から切断又はエッチングして該インナーリード部を前記支持部材から分離するものと、
前記移動路とは別の場所に設けられた第５の処理手段であって、前記第４の処理手段による分離処理の終了後、前記絶縁層で覆われた組立品を前記支持部材の一方の面側と他方の面側との両面側で覆うと共に前記複数のリードのアウターリード部を外方に導出するように樹脂体により前記組立品を１回の処理でモールド封止するものと
を備えた半導体装置の連続組立システム。
【発明の詳細な説明】
【０００１】
【発明の属する技術分野】
この発明は、ＬＳＩ（大規模集積回路）装置等の半導体装置の組立法に関し、特に各リードのインナーリード部を支持部材に連結したリードフレームを用いてワイヤボンディングを行うことによりリード変形によるボンディング不良をなくすようにしたものである。
【０００２】
【従来の技術】
従来、ＬＳＩ装置の組立作業に用いられるリードフレームとしては、図９，１０に示すものが提案されている。
【０００３】
リードフレーム１０は、例えばＦｅ−Ｎｉ合金からなるリードフレーム材を打抜き加工するなどして作成されたもので、半導体チップ支持用の支持部材１２をタイバー（吊りピン）１４ａ〜１４ｄで支えると共に支持部材１２のまわりに多数のリード１６を配置した構成になっている。
【０００４】
通常、リードフレーム１０は、細長い形状を有しており、図９に示すように支持部材１２及びリード１６を含む組立単位が複数（例えば５個）並設されている。リードフレーム１０の長手方向に沿う端部近傍には、治具への装着時に位置決めに使用される位置決め孔１０ａ，１０ｂが設けられている。各リード１６は、図１０に示すようにインナーリード部１６ｘとアウターリード部１６ｙとを有する。
【０００５】
従来の組立法の一例を説明すると、図１１の工程では、支持部材１２にＬＳＩチップ１８を電極形成面とは反対側の面でＡｇペースト等により固着する。このときのチップ１８の固着状態は、図９，１０にも示されている。この後、チップ１８上の複数の電極を対応するリード１６Ａ，１６Ｂのインナーリード部にボンディングワイヤ２０Ａ，２０Ｂによりそれぞれ接続する。リード１６Ａ，１６Ｂは、多数のリード１６のうちの特定のものである。
【０００６】
次に、図１２の工程では、樹脂体２２によりチップ１８、ボンディングワイヤ２０Ａ，２０Ｂ、支持部材１２及びリード１６Ａ，１６Ｂのインナーリード部をモールド封止する。図１０において、破線２２Ｓは、樹脂体２２の輪郭を表わす。
【０００７】
次に、図１３の工程では、必要に応じて各リードのアウターリード部に半田めっき処理を施した後、各リードを切断することにより、樹脂体２２で覆われた組立品をリードフレーム１０から分離する。リード切断の際には、１６Ａ，１６Ｂ等のリードを例えば図１３に示すような形状に成形する。図１３は、リードめっき工程、リード切断・成形工程等を経て得られたＬＳＩ装置を側面から見た図である。
【０００８】
他の従来技術としては、トランジスタ等のディスクリート部品を組立てる際にテープ状のリードフレームを用い、チップ固着、ワイヤボンディング及び樹脂モールドまでの処理を連続的に行ない、この後リードめっき処理及びリード切断・成形処理を順次に行なうものが提案されている。
【０００９】
【発明が解決しようとする課題】
図９〜１３に関して前述した従来技術によると、図１０に示すように各リード１６毎にインナーリード部１６ｘの支持部材側の端部が固定されていないため、リードフレームを工程間で運搬するときにインナーリード部１６ｘの先端が曲がりやすい。インナーリード部１６ｘに変形が生ずると、２０Ａ，２０Ｂ等のワイヤをボンディングする際にボンディング不良が発生することが多い。
【００１０】
また、２０Ａ，２０Ｂ等のワイヤは、ワイヤボンディング後の樹脂モールド工程において樹脂体２２がモールド機のキャビティ内で流動するのに伴ってワイヤ流れを起こしやすい。ワイヤ流れは、断線やワイヤ同士の短絡を招くことがある。
【００１１】
さらに、処理工程がチップ固着、ワイヤボンディング、樹脂モールドのように分かれており、工程間でリードフレームを運搬する必要があるため、生産効率が低い。そこで、生産効率を高めるため、前述したようなテープ状のリードフレームを用いて連続的に複数の処理を行なう連続組立方式を採用することが考えられる。
【００１２】
しかしながら、このようにした場合は、テープ状のリードフレームをリール等に巻くことになるため、インナーリード部１６ｘの変形が生じやすい。従って、ボンディング不良の発生が予想されるから、連続組立方式を単純に採用することもできない。
【００１３】
この発明の目的は、リード変形によるボンディング不良の発生を防止することができる新規な半導体装置の組立法を提供することにある。
【００１４】
【課題を解決するための手段】
この発明に係る半導体装置の組立法は、
半導体チップ支持用の支持部材のまわりに複数のリードを配置すると共に各リードのインナーリード部を該支持部材に連結したリードフレームを用意する工程と、
一方の主面に複数の電極を有する半導体チップを該一方の主面とは反対側の主面にて前記支持部材の一方の面に固着する工程と、
複数のボンディングワイヤにより前記複数の電極を前記複数のリードのインナーリード部にそれぞれ接続する工程と、
前記半導体チップ、前記複数のボンディングワイヤ、前記支持部材及び前記複数のリードのインナーリード部を含む組立品を前記支持部材の一方の面側でのみ覆うように保護コーティングとしての絶縁層を形成する工程と、
前記組立品を前記絶縁層で覆った状態において前記複数のリードのうちの各リード毎にインナーリード部をボンディングワイヤの接続個所と前記支持部材との間で前記支持部材の他方の面側から切断又はエッチングして該インナーリード部を前記支持部材から分離する工程と、
前記複数のリードのインナーリード部を前記支持部材から分離した後、前記絶縁層で覆われた組立品を前記支持部材の一方の面側と他方の面側との両面側で覆うと共に前記複数のリードのアウターリード部を外方に導出するように樹脂体により前記組立品を１回の処理でモールド封止する工程と
を含むものである。
【００１５】
この発明の組立法によれば、各リードのインナーリード部が支持部材に連結されているため、リードフレームを運搬してもインナーリード部の先端が曲がることがなくなり、リード変形に基づくボンディング不良をなくすことができる。また、ボンディングワイヤ、リードのインナーリード部等の組立品を絶縁層で保護コーティングしたので、インナーリード部を切断手段等により支持部材から分離する際にボンディングワイヤの損傷を防止することができる。
【００１６】
この発明の組立法にあっては、複数のリードのインナーリード部を支持部材から分離した後、絶縁層で覆われた組立品を前記支持部材の一方の面側と他方の面側との両面側で覆うと共に複数のリードのアウターリード部を外方に導出するように樹脂体により組立品を１回の処理でモールド封止する。このようにすると、ボンディングワイヤが絶縁層で覆われているため、樹脂モールド時にワイヤ流れが生ずることがなくなり、断線やワイヤ同士の短絡を防止することができる。
【００１７】
この発明の組立法は、リードフレームをテープ状の巻取り可能なものにしても、インナーリード部が支持部材に連結されていて変形のおそれがないので、連続組立方式で実施するのに好適である。
【００１８】
【発明の実施の形態】
図１，２は、この発明の一実施形態に係るリードフレームを示すもので、図２は、図１のリードフレームのリード配置のうち約１／４の部分を拡大して示したものである。
【００１９】
リードフレーム３０は、例えばＦｅ−Ｎｉ合金又はＣｕ系合金等からなるリードフレーム材を打抜き加工又は選択エッチング処理するなどして作成されたもので、半導体チップ支持用の支持部材３２のまわりに多数のリード３６を配置すると共に図２に示すように各リード３６のインナーリード部３６ｘを支持部材３２に連結した構成になっている。支持部材３２は、多数のリード３６のインナーリード部３６ｘで支えられているため、図９のリードフレームが必要としたタイバー１４ａ〜１４ｄは不要である。また、支持部材３２は、４本のタイバーで支える従来の装置と比較して、より多くの方向に沿って支持されているので、より安定する。好ましくは、支持部材３２の各辺当り１５本程度以上、全体で６０本以上のリード３６で支持部材３２を支えるとよい。
【００２０】
リードフレーム３０は、細長い形状を有するもので、図１に示すように支持部材３２及びリード３６を含む組立単位が複数（例えば５個）並設されている。リードフレーム３０の長手方向に沿う端部近傍には、治具への装着時に位置決めに使用される位置決め孔３０ａ，３０ｂが設けられている。各リード３６は、図２に示すようにインナーリード部３６ｘから外方に延長するアウターリード部３６ｙを有する。
【００２１】
各リード３６のインナーリード部３６ｘにおいてボンディングワイヤの接続予定個所と支持部材との間には、図３に示すようにＲａ，Ｒｂ等の凹部が形成されている。この凹部は、インナーリード部３６ｘの切断予定個所の厚さを小さくして切断を容易にするために設けられたもので、ハーフエッチング処理又はリードフレーム材打抜き時の加圧加工等により簡単に形成可能である。
【００２２】
インナーリード部３６ｘの切断を容易にするためには、図７に示すようにボンディングワイヤの接続予定個所と支持部材３２との間に幅が狭い部分Ｓを各リード３６のインナーリード部３６ｘ毎に設けてもよい。また、部分Ｓにあっては、図３のＲａ，Ｒｂのように厚さを小さくしてもよく、このようにすれば一層切断が容易となる。
【００２３】
次に、図１，２のリードフレームを用いるＬＳＩ組立法を図３〜６を参照して説明する。
【００２４】
図３の工程では、支持部材３２にＬＳＩチップ（半導体チップ）３８を電極形成面とは反対側の面でＡｇペースト等の導電性接着剤により固着する。このときのチップ３８の固着状態は、図１，２にも示されている。この後、チップ３８上の複数の電極を対応するリード３６Ａ，３６Ｂにボンディングワイヤ４０Ａ，４０Ｂによりぞれぞれ接続する。リード３６Ａ，３６Ｂは、多数のリード３６のうちの特定のものである。図７には、多数のリード３６を対応するボンディングワイヤ４０を介してチップ３８上の対応する電極に接続した状態を示す。
【００２５】
図３のワイヤボンディング工程にあっては、リード３６Ａ，３６Ｂのインナーリード部が支持部材３２に連結されているため、リードフレーム運搬中にインナーリード部の先端が曲がることがなく、リード変形によるボンディング不良の発生を防止することができる。
【００２６】
次に、図４の工程では、チップ３８、ワイヤ４０Ａ，４０Ｂ、支持部材３２及びリード３６Ａ，３６Ｂのインナーリード部を含む組立品を絶縁層４２で保護コーティングする。絶縁層４２の形成には、液状樹脂を滴下するポッティング法等を用いることができる。絶縁層４２の材料としては、シリコーンゴム系のものを用いることができる。絶縁層４２は、リードフレーム３０の運搬中に組立品を保護するのに役立つ。
【００２７】
次に、図５の工程では、レーザービーム又はウォータージェット等の切断手段Ｅにより凹部Ｒａ，Ｒｂにてリード３６Ａ，３６Ｂのインナーリード部を切断し、これらのインナーリード部を支持部材３２から分離する。図３，７に関して前述したようにインナーリード部の切断予定個所にて厚さ及び／又は幅を小さくしておくと、レーザービーム又はウォータージェットのいずれを用いるにしても点切断で切断を行なえる。また、４０Ａ，４０Ｂ等のワイヤを含む組立品を絶縁層４２で覆ってあるので、ワイヤに損傷を生じさせることなく切断を行なえる。特に、ウォータージェットは、リード金属のみ切断可能で、絶縁層４２の樹脂を殆ど削らない。支持部材からインナーリード部を分離するには、エッチング等の化学処理を用いてもよい。
【００２８】
次に、図６の工程では、絶縁層４２で覆われた組立品を樹脂体４４でモールド封止する。このとき、リード３６Ａ，３６Ｂのアウターリード部は、樹脂体４４から導出されるようにする。図２において、破線４４Ｓは、樹脂体４４の輪郭を表わす。絶縁層４２で覆われた組立品を樹脂モールドするので、樹脂モールド時にワイヤ流れは生じず、従って断線やワイヤ同士の短絡を防止することができる。
【００２９】
この後は、図１３に関して前述したと同様に必要に応じて各リードのアウターリード部に半田めっき処理を施す。そして、リード切断・成形工程に移り、樹脂体４４で覆われた組立品をリード切断によりリードフレーム３０から分離すると共に３６Ａ，３６Ｂ等のリードを図１３に示したように成形する。この結果、図１３に示したのと同様の側面形状を有するＬＳＩ装置が得られる。
【００３０】
図８は、上記したＬＳＩ組立法の実施に用いるに好適な連続組立システムを示すものである。
【００３１】
図８の連続組立システムでは、リードフレーム３０として供給リール５０Ａに巻回されたテープ状のリードフレームが使用される。リードフレーム３０には、図１に示したように支持部材３２及びリード３６を含む組立単位が長手方向に沿って多数並設されている。
【００３２】
リードフレーム３０は、供給リール５０Ａ及び巻取りリール５０Ｂの間に張設される。供給リール５０Ａ及び巻取りリール５０Ｂは、図示しないモータ等の駆動手段により回転駆動される。リードフレーム３０は、リール５０Ａ，５０Ｂの回転に伴って巻取りリール５０Ｂに巻取られると共に巻取りに伴って直線状の移動路に沿って矢印Ａ方向に移動する。このときの移動は、処理部５２〜５８のうちで最も処理時間が長い処理部の処理を可能にするように間欠的に行なうことができる。
【００３３】
リードフレーム３０の移動路には移動方向Ａに沿って処理部５２、５４、５６、５８が適宜の間隔で配置される。処理部５２は、チップ固着部であり、図３で述べたと同様にしてリードフレーム３０の支持部材にＬＳＩチップ３８を固着する。
【００３４】
処理部５４は、ワイヤボンディング部であり、図３で述べたと同様にしてチップ３８上の多数の電極をリードフレーム３０の対応するリードのインナーリード部に多数のボンディングワイヤによりそれぞれ接続する。
【００３５】
処理部５６は、保護コーティング部であり、図４で述べたと同様にしてチップ３８、ワイヤ４０等を含む組立品を絶縁層４２で保護コーティングする。
【００３６】
処理部５８は、インナーリード切断部であり、図５で述べたと同様にして切断手段Ｅにより各リードのインナーリード部を切断して支持部材から分離する。
【００３７】
処理部５８の処理を終った組立品は、巻取りリール５０Ｂに巻取られる。絶縁層４２で組立品を覆ってあるので、巻取りの際に組立品が損傷を受けるのを防止することができる。
【００３８】
リードフレーム３０がすべて巻取りリール５０Ｂに巻取られた後、巻取りリール５０Ｂは、図示しない他の連続組立システムに送られる。この連続組立システムでは、巻取りリール５０Ｂを供給リールとして用い、この供給リールからリードフレーム３０を巻取りリール（図示せず）に巻取るようにする。そして、リードフレーム３０の移動に伴って図５で述べたような樹脂モールド処理、リードの半田めっき処理、リード切断・成形処理等を順次に行なう。
【００３９】
上記したような連続組立システムを用いると、ボンディング不良やワイヤ流れを防止して高い製造歩留りを確保しつつ生産効率を向上させることができる。
【００４０】
この発明は、上記した実施形態に限定されるものではなく、種々の改変形態で実施可能なものである。
【００４３】
【発明の効果】
以上のように、この発明によれば、各リードのインナーリード部を支持部材に連結してリード変形を防止するようにしたので、リード変形によるボンディング不良の発生を防止できる効果が得られる。
【００４４】
また、ボンディングワイヤ、インナーリード部等を含む組立品を絶縁層で保護コーティングしたので、インナーリード切断工程でボンディングワイヤの損傷を防止できると共に樹脂モールド工程でワイヤ流れを防止できる効果も得られる。
【００４５】
さらに、この発明の組立法をこの発明の連続組立システムを用いて実施すると、製造歩留り及び生産効率を向上可能となる効果も得られる。
【図面の簡単な説明】
【図１】  この発明の一実施形態に係るリードフレームを示す平面図である。
【図２】  図１のリードフレームの一部を示す平面図である。
【図３】  図１のリードフレームを用いるチップ固着工程及びワイヤボンディング工程を示す断面図である。
【図４】  図３の工程に続く保護コーティング工程を示す断面図である。
【図５】  図４の工程に続くインナーリード切断工程を示す断面図である。
【図６】  図５の工程に続く樹脂モールド工程を示す断面図である。
【図７】  インナーリードの変形例を示す平面図である。
【図８】  図３〜５の処理を連続的に行なう連続組立システムの一例を示す斜視図である。
【図９】  従来のリードフレームを示す平面図である。
【図１０】  図９のリードフレームの一部を示す平面図である。
【図１１】  図９のリードフレームを用いたチップ固着工程及びワイヤボンディング工程を示す断面図である。
【図１２】  図１１の工程に続く樹脂モールド工程を示す断面図である。
【図１３】  図１２の工程の後リードめっき工程及びリード切断・成形工程を経て得られたＬＳＩ装置を示す側面図である。
【符号の説明】
３０：リードフレーム、３２：支持部材、３６，３６Ａ，３６Ｂ：リード、３６ｘ：インナーリード部、３６ｙ：アウターリード部、３８：ＬＳＩチップ、４０，４０Ａ，４０Ｂ：ボンディングワイヤ、４２：絶縁層、４４：樹脂体、５０Ａ：供給リール、５０Ｂ：巻取りリール、５２：チップ固着部、５４：ワイヤボンディング部、５６：保護コーティング部、５８：インナーリード切断部。
【図１】
0003870301.tif 000002
【図２】
0003870301.tif 000003
【図３】
0003870301.tif 000004
【図４】
0003870301.tif 000005
【図５】
0003870301.tif 000006
【図６】
0003870301.tif 000007
【図７】
0003870301.tif 000008
【図８】
0003870301.tif 000009
【図９】
0003870301.tif 000010
【図１０】
0003870301.tif 000011
【図１１】
0003870301.tif 000012
【図１２】
0003870301.tif 000013
【図１３】
0003870301.tif 000014